(57)【特許請求の範囲】
【請求項１】
含水膨潤状態でフリーザーに収納され、冷凍された保冷材により被保冷体を保冷する保冷システムであって、
前記フリーザーに収納されている保冷材の温度を検出する温度センサと、前記フリーザーに収納されている保冷材の収納量を検出する収納量センサと、前記被保冷体の体温を検出する体温センサと、前記温度センサにより検出された保冷材の温度や前記収納量センサにより検出された保冷材の収納量に基づいて前記フリーザー内の保冷材を冷凍制御するとともに前記体温センサにより検出された被保冷体の体温に基づいて当該被保冷体を保冷している保冷材の交換タイミングを決定する制御手段と、前記制御手段で決定された保冷材の交換タイミングに基づいて前記保冷材の交換を報知する報知手段とを備えたことを特徴とする保冷システム。
【請求項２】
前記フリーザー内の保冷材の温度や収納量及び前記被保冷体を保冷している保冷材の交換タイミングを通信ネットワークを介して指定の通信機器に送信するための通信手段を備えたことを特徴とする請求項１記載の保冷システム。
【発明の詳細な説明】
【０００１】
【発明の属する技術分野】
本発明は、死亡した人、あるいはペットなどを保冷材で保冷するための保冷システムに関する。
【０００２】
【従来の技術】
従来、人が死亡した場合、死体を入棺したうえ、棺内にドライアイスを入れることによって、死体を葬儀終了頃まで保冷することが一般的に行われている。
【０００３】
【発明が解決しようとする課題】
上記従来のように入棺された死体をドライアイスで保冷する場合、例えば葬儀社等の担当者は、たびたび棺内のドライアイスの残量を目視して確認し、ドライアイスが昇華して減少しておれば補充するという作業をする。そのため、葬儀社等の担当者は保冷作業時に大きな労力を必要とするという問題がある。
また、ドライアイスは、昇華して空気中に放散されると、その気体成分によりオゾン層が破壊される恐れがあるため、ドライアイスを使用することは自然環境の破壊の原因になる。また、ドライアイスは高価であり、保冷コストが高く、且つ、地域によってはドライアイスを入手することが困難な場合がある。
【０００４】
そこで本発明では、保冷に伴なう労力を少なくすることができるとともに自然環境を破壊しない保冷システムを提供することを解決すべき課題とするものである。
【０００５】
【課題を解決するための手段】
上記課題は、特許請求の範囲の欄に記載した保冷システムにより解決することができる。
【０００６】
請求項１記載の保冷システムによれば、温度センサにより検出された保冷材の温度と収納量センサにより検出された保冷材の収納量とに基づいてフリーザー内の保冷材が冷凍制御されるとともに、体温センサにより検出された被保冷体の体温に基づいて被保冷体を保冷している保冷材の交換タイミングが報知される。これにより、葬儀社等の担当者は、被保冷体を保冷している保冷材を適正なタイミングで交換することができるとともに、新たに冷凍する保冷材をフリーザーに補充することができる。
【０００７】
請求項２記載の保冷システムによれば、フリーザー内の保冷材の温度や収納量及び前記被保冷体を保冷している保冷材の交換タイミングを通信ネットワークを介して指定の通信機器に送信することが出来るため、葬儀社等の担当者は、例えば葬儀場から離れた場所に居てもフリーザー内の保冷材の温度や収納量を知ることができるとともに、被保冷体を保冷している保冷材の交換タイミングを知ることができる。これにより、葬儀社等の担当者は、電話連絡等で被保冷体の近くの人に被保冷体を保冷している保冷材の交換を指示することができる。
【０００８】
【発明の実施の形態】
次に、本発明の実施の形態について説明する。
図１は、病気等で死亡した人の死体ａを、例えば葬儀終了頃まで保冷する保冷システム１の全体的な構成を示したシステム系統図である。
図１に示すように、保冷システム１は、死体ａに掛けられた掛け布団ｂのポケットｃに保冷材３を充填することによって死体ａを保冷するものであり、保冷材３を冷凍して生成する可搬型のフリーザー２が設けられている。また、フリーザー２には制御装置４が設けられている。この制御装置４は、表面パネル部に、保冷材３を冷凍する際の冷凍温度を設定するための温度設定ボタン５ａ（設定温度ＵＰ），５ｂ（設定温度ＤＯＷＮ）及び、この冷凍設定温度及び冷凍過程での温度をリアルタイムに表示させる表示器６を有しており、表面パネル部の内部にはフリーザー２の保冷材３を冷凍設定温度に制御するための電子回路を有している。
【０００９】
フリーザー２には、フリーザー２に収納されている保冷材３の温度を検出する温度センサ７と、フリーザー２に収納されている保冷材３の収納量（重量）を検出する収納量センサ８とが配設されており、それぞれのセンサ７，８は制御装置４に電気的に接続されている。そして、制御装置４は、温度センサ７及び収納量センサ８から出力された検出信号に基づいて、フリーザー２の保冷材３を冷凍設定温度に制御する。また、前述の死体ａの体温を検出する体温センサ９が制御装置４に接続されており、死体ａの体温が所定値より上昇した場合、制御装置４は、掛け布団ｂのポケットｃに挿入されている保冷材３の交換を決定し、報知器１０で保冷材３の交換を促すための報知をする。尚、報知器１０は音声及び発光で保冷材３の交換を促すための報知をする。これによって、葬儀社等の担当者は適切なタイミングで掛け布団ｂのポケットｃに充填されている保冷材３を、フリーザー２で冷凍生成された保冷材３と交換することができる。
【００１０】
フリーザー２には通信装置１１が設けられている。この通信装置１１は、上記制御装置４と電気的に接続されており、専用のコード１２を用いてパーソナルコンピュータ１３と通信できるように構成されている。
【００１１】
パーソナルコンピュータ１３が専用のコード１２でフリーザー２の通信装置１１に接続されている場合、パーソナルコンピュータ１３は、制御装置４から出力された保冷材３の温度データ、収納量（重量）データ及び死体ａの体温データを入力したうえ、それぞれのデータをリアルタイムで通信回線（あるいはインターネット）１４を介して指定の携帯電話１５に送信する。更に、死体ａの体温が所定値より上昇すると、制御装置４は、掛け布団ｂのポケットｃに挿入されている保冷材３の交換を決定し、その交換決定情報を通信装置１１に伝送するため、その情報はパーソナルコンピュータ１３及び通信回線（あるいはインターネット）１４を介して葬儀社等の担当者の携帯電話１５に送信される。これによって、例えば葬儀社等の担当者が死体ａから離れた場所に居ても、フリーザー２内の保冷材３の温度や収納量を知ることができるとともに、死体ａを保冷している保冷材３の交換タイミングを知ることが可能になり、葬儀場に居る親族関係者等に、電話連絡等で掛け布団ｂのポケットｃに充填されている保冷材３の交換を指示することができる。
【００１２】
図２、図３は前述の保冷材３を冷凍生成するための行程を示した生成行程説明図である。
図２に示すように、４個のブロック３ｂで構成されている各ユニット３ａのそれぞれのブロック３ｂには吸水樹脂３ｃが封入されている。
尚、図２に示した保冷材３の構成は一例であって、各ユニットを１ブロック、２ブロック、あるいは３ブロックなどで構成しても良い。
【００１３】
図２は、それぞれのブロック３ｂに吸水樹脂３ｃが封入されている複数のユニット３ａを容器２１に入れて、それぞれのブロック３ｂの吸水樹脂３ｃを含水状態にすることを示している。
なお、容器２１に水２２を注ぎ、予め粉末状のイクロロイソシアムール酸、あるいはトリクロロイソシアムール酸、あるいは次亜塩素酸等の保存剤を溶かし込んでおき、それぞれのブロック３ｂの吸水樹脂３ｃ内に保存剤を溶かし込んだ水を吸水させる。
それぞれのブロック３ｂが含水状態になると、それぞれのブロック３ｂは図３に示すような形状に膨潤する。
【００１４】
それぞれのブロック３ｂが含水膨潤した状態の各ユニット３ａは、図３に示すようにフリーザー２の上蓋２ａを開いた状態でフリーザー２に収納され、上蓋２ａを閉じた状態で前述のように制御装置４により冷凍設定温度で冷凍されると、前述の保冷材３となる。そして、冷凍された保冷材３は、図４に示すように掛け布団ｂのポケットｃに充填される。
【００１５】
次に、保冷システム１の使用例について説明する。
病気等で死亡した人の死体ａを納棺（図１ではお棺を図示していない）したうえ、葬儀終了頃まで保冷する場合、葬儀社等の担当者はフリーザー２を当該葬儀場に搬入し、前述のような生成行程で保冷材３を冷凍生成する。そして所要時間後、冷凍された保冷材３をフリーザー２から取り出し、死体ａに掛けられた掛け布団ｂのポケットｃに充填する。掛け布団ｂのポケットｃに充填された保冷材３は時間の経過とともに冷気の発生が減少し、死体ａの体温が上昇するため、適切なタイミングで新しい保冷材３と交換しなければならない。そこで葬儀社等の担当者は、死体ａの体温を検出する体温センサ９を図１に示すようにセットするとともに、フリーザー２で新しい保冷材３を冷凍生成する。
【００１６】
体温センサ９により検出された死体ａの体温が、予め決められた温度まで上昇した場合、フリーザー２の制御装置４は、掛け布団ｂのポケットｃに充填されている保冷材３の交換を決定し、報知器１０で保冷材３の交換を促すための報知を音声及び発光でさせる。この報知が行われると、葬儀社等の担当者は、掛け布団ｂのポケットｃに充填されている保冷材３を、フリーザー２で冷凍生成された新しい保冷材３と交換する。これによって、葬儀社等の担当者はその報知が行われるまで保冷材３の目視チェックが不要となり、他の仕事をすることができる。
【００１７】
通夜の翌日に葬儀が行われる場合、一般に葬儀社等の担当者は通夜終了後に帰社し、葬儀場には親族等のみが残ることが多い。このような場合、葬儀社等の担当者は、図１に示すように専用のコード１２でフリーザー２の通信装置１１とパーソナルコンピュータ１３とを接続し、パーソナルコンピュータ１３を通信可能な状態にする。
【００１８】
フリーザー２の通信装置１１とパーソナルコンピュータ１３とが接続され、通信装置１１とパーソナルコンピュータ１３とが通信可能な状態になると、前述したように、パーソナルコンピュータ１３は制御装置４から出力された保冷材３の温度データ、収納量（重量）データ及び死体ａの体温データを入力したうえ、それぞれのデータをリアルタイムで通信回線（あるいはインターネット）１４を介して葬儀社等の担当者の携帯電話１５に送信する。また、前述のように死体ａの体温が所定値より上昇すると、制御装置４は、掛け布団ｂのポケットｃに挿入されている保冷材３の交換を決定し、その交換決定情報を通信装置１１に伝送するため、その情報はパーソナルコンピュータ１３及び通信回線（あるいはインターネット）１４を介して葬儀社等の担当者の携帯電話１５に送信される。これによって、葬儀社等の担当者は、葬儀場から離れた場所に居てもフリーザー２内の保冷材３の温度や収納量を知ることができるとともに、死体ａを保冷している保冷材３の交換タイミングを知ることが可能になり、電話連絡等で葬儀場に居る親族関係者等に、掛け布団ｂのポケットｃに充填されている保冷材３の交換を指示することができる。
【００１９】
以上のように、保冷システム１を使用することにより適切に死体ａを保冷することができるようになり、葬儀社等の担当者の労力を少なくすることができる。
また、葬儀社等の担当者が葬儀場等から離れた場所にいても、葬儀場に居る親族関係者に電話連絡等で保冷材３の交換を指示することができる。
【００２０】
尚、以上の実施の形態の説明では、被保冷体として人の死体ａを保冷する例を示したが、人の死体ａに限らず、犬、猫等のペットの死体を保冷することができる。また、前述のパーソナルコンピュータ１３の代わりに簡易な情報装置を用いても良い。
【００２１】
図５は、前述のフリーザー２で冷凍生成された保冷材３を用いた保冷ベスト３０を示したものである。図５に示すように、保冷ベスト３０の内側に設けられた複数のポケット３１に上記保冷材３を入れ、死体を保冷することもできる。
尚、このような保冷ベスト３０は、死体保冷以外の目的でも使用することができ、保冷ベスト３０を着用した人は高温下、炎天下の作業の困難性を和らげることができる。また、魚つりやアウトドアレジャー時に着用すれば涼感を得ることができる。あるいは配送トラックのドライバーが着用すると、覚醒感を得ることができる。
【００２２】
【発明の効果】
本発明によれば、自然環境に悪い影響を与えることなく、被保冷体の保冷に伴なう労力を少なくすることができるという効果がある。
【図面の簡単な説明】
【図１】保冷システムの全体的な構成を示したシステム系統図である。
【図２】保冷材を生成するための行程を示した行程説明図である。
【図３】保冷材を生成するための行程を示した行程説明図である。
【図４】保冷材を所定のポケットに充填する場合の説明図である。
【図５】保冷ベストの正面図である。
【符号の説明】
１  保冷システム
２  フリーザー
３  保冷材
４  制御装置
５ａ，５ｂ  温度設定ボタン
６  表示器
７  温度センサ
８  収納量センサ
９  体温センサ
１０  報知器
１１  通信装置
１２  専用コード
１３  パーソナルコンピュータ
１４  通信回線（インターネット）
１５  携帯電話
【図１】
0004538169.tif 000002
【図２】
0004538169.tif 000003
【図３】
0004538169.tif 000004
【図４】
0004538169.tif 000005
【図５】
0004538169.tif 000006